(57)【要約】【課題】入浴者が立ちくらみを起こすリスクを低減しつつ当該入浴者の入浴中におけるのぼせを抑制する。【解決手段】浴室システムは、浴槽１２０に給湯する給湯装置１３０と、浴室１００内に送風する浴室乾燥装置１１０と、入浴者に関係するパラメータを検出する生体センサ１１２と、生体センサ１１２により検出されたパラメータに応じて、入浴者の体温の上昇を抑制してのぼせを抑制するように浴室乾燥装置１１０および給湯装置１３０を制御する制御手段と、浴室１００内の室温と浴槽１２０内の湯温との温度差を検出する温度差検出手段と、を備える。制御手段は、上記の温度差が基準温度差を下回る場合には浴室乾燥装置１１０に送風を実行させ、上記の温度差が基準温度差を上回る場合には給湯装置１３０に浴槽１２０内の湯温の低下および浴槽１２０内の湯水の排水の少なくとも一方を実行させる。【選択図】図１
2020190393.tif 000002
【特許請求の範囲】
【請求項１】
浴室内に設置された浴槽に給湯する給湯装置と、
前記浴室内に送風する浴室乾燥装置と、
前記浴槽内の湯水から入浴者の身体に吸収される熱量に関係するパラメータを検出する入浴状態検出手段と、
前記入浴状態検出手段により検出されたパラメータに応じて、前記入浴者の体温の上昇を抑制してのぼせを抑制するように前記浴室乾燥装置および前記給湯装置を制御する制御手段と、
前記浴室内の室温と前記浴槽内の湯温との温度差を検出する温度差検出手段と、
を備え、
前記制御手段は、前記温度差が基準温度差を下回る場合には前記浴室乾燥装置に送風を実行させ、前記温度差が基準温度差を上回る場合には前記給湯装置に前記浴槽内の湯温の低下および前記浴槽内の湯水の排水の少なくとも一方を実行させる浴室システム。
【請求項２】
脱衣室の空気調和を行う脱衣室空調機を備え、
前記制御手段は、前記入浴状態検出手段により検出されたパラメータに応じて、前記入浴者の体温の上昇を抑制してのぼせを抑制するように前記脱衣室空調機を制御する請求項１に記載の浴室システム。
【請求項３】
脱衣室の空気調和を行う脱衣室空調機と、
出浴後の前記入浴者に関する物理量を検出する出浴状態検出手段と、
を備え、
前記制御手段は、前記出浴状態検出手段により検出されたパラメータに応じて、前記入浴者の体温の上昇を抑制してのぼせを抑制するように前記脱衣室空調機を制御する請求項１に記載の浴室システム。
【請求項４】
外気の温度を検出する外気温センサを備え、
前記浴室乾燥装置は、外気を取り込んで当該外気を前記浴室内へ送風する機能を有し、
前記制御手段は、前記浴室乾燥装置に送風を実行させる場合、外気温が前記浴室内の室温よりも低い場合には外気を取り込ませて当該外気を送風させる請求項１から請求項３の何れか１項に記載の浴室システム。
【請求項５】
外気の温度を検出する外気温センサを備え、
前記脱衣室空調機は、外気を取り込んで当該外気を前記脱衣室内へ送風する機能を有し、
前記制御手段は、前記脱衣室空調機に送風を実行させる場合、外気温が前記脱衣室内の室温よりも低い場合には外気を取り込ませて当該外気を送風させる請求項２または請求項３に記載の浴室システム。
【請求項６】
前記給湯装置は、前記浴室内への放水を行う放水手段を有し、
前記制御手段は、前記浴室乾燥装置に送風を実行させる場合、前記放水手段による放水を実行させる請求項１から請求項５の何れか１項に記載の浴室システム。
【請求項７】
前記入浴状態検出手段により検出されたパラメータに応じて、入浴ののぼせに関する情報を報知する報知手段を備えた請求項１から請求項６の何れか１項に記載の浴室システム。
【発明の詳細な説明】
【技術分野】
【０００１】
本発明は、浴室システムに関するものである。
【背景技術】
【０００２】
特許文献１に、浴室システムが記載されている。特許文献１に記載された浴室システムは、入浴者の頭部に向けて送風可能な浴室乾燥機と、浴槽内の入浴者の状態に関係するパラメータを検出する入浴状態センサと、を備える。特許文献１に記載の技術において、浴室乾燥機は、入浴状態センサの出力に基づいて、入浴中の入浴者の頭部を冷却するように送風を行う。これにより、入浴中における入浴者ののぼせが抑制される。
【先行技術文献】
【特許文献】
【０００３】
【特許文献１】特開２０１５−３９５９８号公報
【発明の概要】
【発明が解決しようとする課題】
【０００４】
浴室内が涼しい場合または浴槽内の湯温が高い場合等においては、浴室内の気温と浴槽内の湯温との温度差が大きくなる。特許文献１に記載された技術においては、浴室内の気温と浴槽内の湯温との温度差が大きい場合に入浴者の頭部が冷却されると、湯に使っている身体の血管が拡張した状態のまま頭部の血管が急激に収縮することになる。身体の血管が拡張した状態のまま頭部の血管が急激に収縮した入浴者は、浴槽から出る際に立ちくらみを起こしてしまう可能性が高い。
【０００５】
本発明は、上記のような課題を解決するためになされたものである。本発明の目的は、入浴者が立ちくらみを起こすリスクを抑えつつ当該入浴者の入浴中におけるのぼせを抑制可能な浴室システムを得ることである。
【課題を解決するための手段】
【０００６】
本発明に係る浴室システムは、浴室内に設置された浴槽に給湯する給湯装置と、浴室内に送風する浴室乾燥装置と、浴槽内の湯水から入浴者の身体に吸収される熱量に関係するパラメータを検出する入浴状態検出手段と、入浴状態検出手段により検出されたパラメータに応じて、入浴者の体温の上昇を抑制してのぼせを抑制するように浴室乾燥装置および給湯装置を制御する制御手段と、浴室内の室温と浴槽内の湯温との温度差を検出する温度差検出手段と、を備える。制御手段は、上記の温度差が基準温度差を下回る場合には浴室乾燥装置に送風を実行させ、上記の温度差が基準温度差を上回る場合には給湯装置に浴槽内の湯温の低下および浴槽内の湯水の排水の少なくとも一方を実行させる。
【発明の効果】
【０００７】
本発明に係る浴室システムによれば、入浴者が立ちくらみを起こすリスクを低減しつつ当該入浴者の入浴中におけるのぼせを抑制することができる。
【図面の簡単な説明】
【０００８】
【図１】実施の形態１の浴室システムを構成する各要素の配置の一例を示す模式図である。
【図２】実施の形態１の浴室システムの制御系統の一例を示す機能ブロック図である。
【図３】実施の形態１の制御ユニットの機能を実現する構成の一例を示す図である。
【図４】実施の形態１の浴室システムの制御例を示すフローチャートである。
【図５】実施の形態２の浴室システムを構成する各要素の配置の一例を示す模式図である。
【図６】実施の形態２の浴室システムの制御系統の一例を示す機能ブロック図である。
【図７】実施の形態２の浴室システムの制御例を示すフローチャートである。
【図８】実施の形態３の浴室システムを構成する各要素の配置の一例を示す模式図である。
【図９】実施の形態３の浴室システムの制御例を示すフローチャートである。
【図１０】実施の形態４の浴室システムを構成する各要素の配置の一例を示す模式図である。
【図１１】実施の形態４の浴室システムの制御例を示すフローチャートである。
【図１２】実施の形態５の浴室システムを構成する各要素の配置の一例を示す模式図である。
【図１３】実施の形態５の浴室システムの制御例を示すフローチャートである。
【図１４】実施の形態６の浴室システムを構成する各要素の配置の一例を示す模式図である。
【発明を実施するための形態】
【０００９】
以下、添付の図面を参照して、本発明を実施するための形態について説明する。各図における同一の符号は、同一の部分または相当する部分を示す。また、本開示では、重複する説明については、適宜に簡略化または省略する。なお、本発明は、その趣旨を逸脱しない範囲において、以下の各実施の形態によって開示される構成のあらゆる変形およびあらゆる組み合わせを含み得るものである。
【００１０】
実施の形態１．
図１は、実施の形態１の浴室システムを構成する各要素の配置の一例を示す模式図である。図２は、実施の形態１の浴室システムの制御系統の一例を示す機能ブロック図である。なお、本開示の主旨を明確かつ簡潔に示すため、図１においては、図２に記載された構成要素の一部の図示を省略している。また、図２においては、図１に記載された構成要素の一部の図示を省略している。
【００１１】
本実施の形態の浴室システムは、図１および図２に示されるように、浴室１００に設置された浴室乾燥装置１１０を備えている。浴室１００は、使用者が入浴を行う部屋である。浴室１００内には、浴槽１２０が設置されている。本実施の形態の浴室システムは、図１および図２に示されるように、浴槽１２０に給湯する給湯装置１３０を備えている。
【００１２】
浴室乾燥装置１１０は、浴室１００内に送風する装置である。浴室乾燥装置１１０は、温風を吹き出す暖房運転および常温の風を吹き出す送風運転等を実行可能である。浴室乾燥装置１１０は、例えば、送風を行うためのファンおよび浴室１００へ風を吹き出すための吹出口を有している。なお、浴室乾燥装置１１０は、例えば、冷風を吹き出す冷房運転を実行する機能を有していてもよい。
【００１３】
浴室乾燥装置１１０は、例えば、図１に示されるように、浴室１００の天井部分に設置される。浴室乾燥装置１１０は、例えば、図１に示すように、浴槽１２０の上方に配置されている。浴室乾燥装置１１０は、ルーバー１１１を備える。浴室乾燥装置１１０が送風する方向は、ルーバー１１１が動くことで調整される。本実施の形態において、浴室乾燥装置１１０は、浴槽１２０内の入浴者に向けて送風可能に構成されている。
【００１４】
図１に示されるように、浴室乾燥装置１１０には、生体センサ１１２が設けられている。生体センサ１１２は、人に関する物理量を非接触で検出することができるセンサである。生体センサ１１２は、例えば、超音波、マイクロ波および赤外線の少なくとも１つを利用することで、人に関する物理量を非接触で検出する。生体センサ１１２は、浴室１００にいる人に関する物理量を検出する。また、生体センサ１１２は、浴槽１２０内の入浴者に関する物理量を検出する。
【００１５】
生体センサ１１２が検出する「人に関する物理量」とは、浴室１００にいる使用者、すなわち入浴者の状態に関係するパラメータを意味している。生体センサ１１２は、浴室１００にいる入浴者の状態を判定するためのパラメータを検出するものである。本実施の形態において、生体センサ１１２は、浴槽１２０内の入浴者の状態を判定するためのパラメータを検出する。より具体的には、生体センサ１１２は、浴槽１２０内の入浴者ののぼせの予兆の有無を判定するためのパラメータを検出する。例えば、生体センサ１１２は、皮膚温度、心拍数、呼吸数および血圧の少なくとも１つを検出する。換言すると、生体センサ１１２が検出するパラメータには、一例として、皮膚温度、心拍数、呼吸数および血圧の少なくとも１つが含まれている。
【００１６】
生体センサ１１２は、例えば赤外線センサをアレイ状に配置させたサーモパイルを含む。サーモパイルは、マトリクス状に表面温度を検出することができる。サーモパイルを含む生体センサ１１２は、人の位置および人の動きを推定するためのパラメータを検出することができる。また、例えば、マイクロ波を利用した生体センサ１１２は、心拍数および呼吸数の推定値を検出することができる。
【００１７】
本実施の形態における生体センサ１１２は、浴槽１２０内の湯水から入浴者の身体に吸収される熱量に関係するパラメータを検出する入浴状態検出手段の一例を構成している。湯水から入浴者の身体に吸収される熱量は、当該入浴者がのぼせてしまう可能性に関係する。
【００１８】
また、本実施の形態における生体センサ１１２は、入浴者が浴槽１２０内へ入浴したことを検出する入浴検出手段の一例を構成している。本実施の形態の浴室システムは、例えば、生体センサ１１２によって取得された熱画像データ等から入浴者が浴槽１２０内へ入浴したことを検出する機能を有する。また、本実施の形態の浴室システムは、生体センサ１１２によって取得された熱画像データ等から浴槽１２０内の入浴者の位置を判定する機能を有する。
【００１９】
生体センサ１１２は、浴室乾燥装置１１０と通信を行う。一例として、浴室乾燥装置１１０に内蔵された制御装置は、生体センサ１１２の検出結果に基づいて、浴室乾燥装置１１０の動作を制御する。浴室乾燥装置１１０は、例えば、生体センサ１１２の検出結果に基づいて、入浴者に向けて送風することができる。
【００２０】
給湯装置１３０は、例えば、ヒートポンプユニットまたは電気式温水器等を有している。給湯装置１３０は、例えば、図１に示されるように、追い焚き配管１３１を介して、浴槽１２０へ湯水を供給可能に構成されている。
【００２１】
追い焚き配管１３１は、浴槽１２０内の水を、当該浴槽１２０と給湯装置１３０とに循環させるための配管である。追い焚き配管１３１には、例えば、図示しないポンプが設けられている。このポンプが駆動することで、浴槽１２０内と、追い焚き配管１３１内と、給湯装置１３０内とを、水が循環する。
【００２２】
例えば、給湯装置１３０は、追い焚き配管１３１を介して浴槽１２０から当該給湯装置１３０へ導かれた水を、加熱する。給湯装置１３０は、水を、使用者によって設定された設定温度になるように加熱する。給湯装置１３０は、加熱した水を、追い焚き配管１３１を介して、浴槽１２０へ供給する。
【００２３】
また、給湯装置１３０は、例えば、図示しない外部の水源から供給された水を加熱した後に浴槽１２０へ供給してもよい。給湯装置１３０は、例えば、図示しない外部の水源から供給された水を加熱せずに浴槽１２０へ供給してもよい。また、給湯装置１３０は、外部の水源から供給された水および加熱した湯を内部に貯留可能に構成されていてもよい。給湯装置１３０は、即湯式の装置であってもよいし、貯湯式の装置であってもよい。
【００２４】
上記したように、本実施の形態の給湯装置１３０は、浴槽１２０へ低温の水を供給する機能を有する。本実施の形態の給湯装置１３０は、浴槽１２０内の湯温を低下させる機能を有している。
【００２５】
また、図１に示されるように、本実施の形態の給湯装置１３０は、自動排水栓１３２を備えている。自動排水栓１３２が開くことで、浴槽１２０内の湯水が排水される。本実施の形態の給湯装置１３０は、浴槽１２０内の湯水を排水する機能を有している。
【００２６】
図１に示されるように、浴室１００には、例えば、操作装置１４０が設けられている。操作装置１４０は、使用者が給湯装置１３０を操作するためのものである。一例として、操作装置１４０は、浴室１００の壁に取り付けられている。なお、操作装置１４０は、浴室１００の壁から着脱自在な無線通信端末等であってもよい。
【００２７】
操作装置１４０は、無線または有線によって、給湯装置１３０と接続されている。一例として、この操作装置１４０は、給湯装置１３０と互いに通信を行う。操作装置１４０は、例えば、給湯装置１３０の状態を表示する液晶画面等の表示部と、給湯装置１３０を操作するためのボタン等の操作部と、を有している。
【００２８】
操作装置１４０は、使用者が浴室乾燥装置１１０を操作するための構成部品および機能を有していてもよい。使用者は、操作装置１４０によって浴室乾燥装置１１０を操作してもよい。また、使用者が浴室乾燥装置１１０を操作するための装置は、操作装置１４０とは別に設けられていてもよい。
【００２９】
図１に示されるように、生体センサ１１２は、操作装置１４０に設けられていてもよい。図１に示される構成例においては、生体センサ１１２は、浴室乾燥装置１１０と操作装置１４０との両方に設けられている。生体センサ１１２は、浴室乾燥装置１１０と操作装置１４０との一方に設けられてもよい。また、生体センサ１１２は、浴室乾燥装置１１０および操作装置１４０とは別の場所に設けられていてもよい。生体センサ１１２は、例えば、浴室１００の壁等に設置されていてもよい。生体センサ１１２は、浴室１００にいる人に関する物理量を検出可能に構成されていればよい。
【００３０】
また、図１に示されるように、操作装置１４０には、温度センサ１４１が設けられている。温度センサ１４１は、浴室１００内の室温を検出するセンサである。温度センサ１４１は、浴室１００内の室温と浴槽１２０内の湯温との温度差を検出するために設けられている。上記の温度差は、例えば、温度センサ１４１の検出値と給湯装置１３０の設定値とに基づいて算出される。
【００３１】
温度センサ１４１は、操作装置１４０とは別の場所に設けられていてもよい。温度センサ１４１は、例えば、浴室１００の壁または浴室乾燥装置１１０等に設置されていてもよい。温度センサ１４１は、浴室１００内の室温を検出可能に構成されていればよい。
【００３２】
本実施の形態における温度センサ１４１は、浴室１００内の室温と浴槽１２０内の湯温との温度差を検出する温度差検出手段の一例を構成している。なお、本開示に係る浴室システムは、温度差検出手段を構成するセンサとして、例えば、浴槽１２０内の湯温を検出する湯温センサを備えていてもよい。湯温センサは、例えば、浴槽１２０または追い焚き配管１３１等に設けられる。
【００３３】
本実施の形態の浴室システムは、生体センサ１１２が検出したパラメータに基づいて、入浴者の状態を判定する機能を有するシステムである。具体的には、浴槽１２０内の入浴者ののぼせの予兆の有無が、生体センサ１１２が検出したパラメータに基づいて判定される。本実施の形態の浴室システムを構成する浴室乾燥装置１１０および給湯装置１３０は、入浴者ののぼせの予兆の有無の判定結果に応じて制御される。
【００３４】
入浴者ののぼせの予兆が有ると判定された場合、浴室乾燥装置１１０および給湯装置１３０は、入浴者ののぼせを抑制するように動作する。例えば、浴室乾燥装置１１０は、入浴者に対して送風することで当該入浴者の体温の上昇を抑制し、のぼせを抑制する。また、給湯装置１３０は、例えば、浴槽１２０内の湯温を低下させることで入浴者の体温の上昇を抑制し、のぼせを抑制する。
【００３５】
本実施の形態の浴室システムにおいて、浴室乾燥装置１１０は、浴室１００内の室温と浴槽１２０内の湯温との温度差が予め設定された基準温度差を下回る場合には入浴者への送風が許可されるように制御される。一方、浴室１００内の室温と浴槽１２０内の湯温との温度差が予め設定された基準温度差を上回る場合には、浴室乾燥装置１１０は、入浴者への送風が禁止されるように制御される。これにより、本実施の形態の浴室システムは、入浴者が立ちくらみを起こすリスクを低減しつつ、入浴者の入浴中におけるのぼせを抑制することができる。浴室システムのより具体的な動作例については、後述する。
【００３６】
上記のように構成された浴室システムの動作は、制御ユニット５００によって制御される。図１においては、制御ユニット５００の図示を省略している。図２に示されるように、制御ユニット５００は、浴室乾燥装置１１０、給湯装置１３０および操作装置１４０に接続されている。本実施の形態における制御ユニット５００は、浴室乾燥装置１１０および給湯装置１３０を制御する制御手段の一例である。
【００３７】
制御ユニット５００は、浴室乾燥装置１１０に入浴者への送風を実行させる機能を有している。制御ユニット５００は、給湯装置１３０に浴槽１２０内の湯温の低下を実行させる機能を有している。また、制御ユニット５００は、給湯装置１３０に浴槽１２０内の湯水の排水を実行させる機能を有している。
【００３８】
一例として、制御ユニット５００は、浴室乾燥装置１１０を介して、生体センサ１１２が検出したパラメータの情報を取得する。また、制御ユニット５００は、操作装置１４０を介して、温度センサ１４１が検出したパラメータの情報を取得する。制御手段の一例である制御ユニット５００は、生体センサ１１２が検出したパラメータおよび温度センサ１４１が検出したパラメータに応じた動作を行う。
【００３９】
なお、制御ユニット５００は、浴室乾燥装置１１０を介さずに生体センサ１１２に接続していてもよい。制御ユニット５００は、生体センサ１１２が検出したパラメータの情報を、当該生体センサ１１２から直接的に取得してもよい。同様に、制御ユニット５００は、操作装置１４０を介さずに温度センサ１４１に接続していてもよい。制御ユニット５００は、温度センサ１４１が検出したパラメータの情報を、当該温度センサ１４１から直接的に取得してもよい。
【００４０】
一例として、制御ユニット５００は、図２に示されるように、演算部５０１および記憶部５０２を有する。演算部５０１は、各種の演算を行う機能を有するものである。記憶部５０２は各種の情報を記憶する機能を有するものである。記憶部５０２には、例えば、演算部５０１が各種の演算を行うためのアルゴリズムが、プログラムとして記憶される。
【００４１】
また、記憶部５０２には、生体センサ１１２が検出したパラメータおよび温度センサ１４１が検出したパラメータの情報が記憶される。本実施の形態において、演算部５０１は、生体センサ１１２が検出したパラメータおよび温度センサ１４１が検出したパラメータから、各種の演算を行う。
【００４２】
演算部５０１は、例えば、入浴開始時における入浴者の皮膚温度と現在入浴中の入浴者の皮膚温度との差を算出する機能を有してもよい。すなわち、演算部５０１は、例えば、入浴によって上昇した皮膚温度を算出する機能を有してもよい。また、演算部５０１は、例えば、入浴者の入浴時間を算出する機能を有しても良い。本実施の形態の演算部５０１は、のぼせの予兆を判定するためのパラメータを演算する機能を有している。
【００４３】
また、演算部５０１は、温度センサ１４１が検出したパラメータと給湯装置１３０の設定温度とに基づいて、浴室１００内の室温と浴槽１２０内の湯温との温度差を算出する機能を有する。本実施の形態における演算部５０１は、浴室１００内の室温と浴槽１２０内の湯温との温度差を検出する温度差検出手段の一例を構成している。なお、演算部５０１は、上記したように、浴槽１２０内の湯温を検出する湯温センサの検出結果と温度センサ１４１の検出結果とから、浴室１００内の室温と浴槽１２０内の湯温との温度差を算出してもよい。
【００４４】
図２に示されるように、制御ユニット５００は、一例として、判定部５０３および制御部５０４を有している。判定部５０３は、例えば、演算部５０１の算出結果および記憶部５０２に記憶された情報等に基づいて各種の判定を行う機能を有している。また、制御部５０４は、浴室乾燥装置１１０、給湯装置１３０および操作装置１４０を制御する機能を有している。
【００４５】
本実施の形態において、判定部５０３は、演算部５０１の算出結果に基づいて、浴室１００内の室温と浴槽１２０内の湯温との温度差が基準温度差を下回っているか否か判定する機能を有している。また、判定部５０３は、演算部５０１の算出結果に基づいて、浴室１００にいる入浴者の状態を判定する機能を有している。
【００４６】
判定部５０３は、例えば、生体センサ１１２の検出結果から、入浴者が浴槽１２０内への入浴を開始したか否か判定する。本実施の形態における判定部５０３は、入浴者が浴槽１２０内へ入浴したことを検出する入浴検出手段の一例を構成している。なお、浴室システムは、入浴者が浴槽１２０内への入浴したことを検出するためのセンサとして、生体センサ１１２とは別のセンサを備えていてもよい。例えば、判定部５０３は、浴槽１２０に設けられた水位センサが検出した水位の上昇量に基づいて、入浴者が浴槽１２０内への入浴を開始したか否か判定してもよい。また、浴室１００内には、浴槽１２０内に入浴した人を検出する人感センサ等が設けられていてもよい。
【００４７】
また、判定部５０３は、浴槽１２０内の入浴者ののぼせの予兆の有無を判定する機能を有する。例えば、判定部５０３は、演算部５０１の算出結果に基づいて、入浴によって上昇した皮膚温度が予め設定された判定値を上回っているか判定してもよい。入浴によって上昇した皮膚温度が予め設定された判定値を上回っている場合とは、のぼせの予兆がある場合を意味する。また、判定部５０３は、例えば、生体センサ１１２の検出結果から、入浴者の心拍数が予め設定された判定値を上回っているか判定してもよい。入浴者の心拍数が予め設定された判定値を上回っている場合とは、のぼせの予兆がある場合を意味する。また、判定部５０３は、入浴時間に基づいてのぼせの予兆の有無を判定してもよい。
【００４８】
制御部５０４は、判定部５０３の判定結果に応じて浴室乾燥装置１１０および給湯装置１３０を制御する機能を有している。制御部５０４は、入浴者ののぼせの予兆が有ると判定された場合、入浴者ののぼせを抑制するように浴室乾燥装置１１０および給湯装置１３０を動作させる。
【００４９】
制御ユニット５００は、図２に示すように、一例として、給湯装置１３０および操作装置１４０に接続されている。制御ユニット５００は、例えば、給湯装置１３０から、当該給湯装置１３０の設定値の情報を取得する。この設定値には、給湯装置１３０が浴槽１２０へ供給する湯温の設定温度等が含まれる。また、制御ユニット５００は、例えば、操作装置１４０から、使用者による当該操作装置１４０の操作に応じた信号を受信する。制御ユニット５００は、この信号に基づいて動作する。
【００５０】
図３は、実施の形態１の制御ユニット５００の機能を実現する構成の一例を示す図である。制御ユニット５００の演算部５０１、記憶部５０２、判定部５０３および制御部５０４の機能は、例えば、処理回路により実現される。処理回路は、専用ハードウェア６００であってもよい。処理回路は、プロセッサ６０１およびメモリ６０２を備えていてもよい。処理回路の一部が専用ハードウェア６００として形成され、且つ、当該処理回路は更にプロセッサ６０１およびメモリ６０２を備えていてもよい。図３に示す例において、処理回路の一部は専用ハードウェア６００として形成されている。また、図３に示す例において、処理回路は、専用ハードウェア６００に加えて、プロセッサ６０１およびメモリ６０２を更に備えている。
【００５１】
一部が少なくとも１つの専用ハードウェア６００である処理回路には、例えば、単一回路、複合回路、プログラム化したプロセッサ、並列プログラム化したプロセッサ、ＡＳＩＣ、ＦＰＧＡ、またはこれらを組み合わせたものが該当する。
【００５２】
処理回路が少なくとも１つのプロセッサ６０１および少なくとも１つのメモリ６０２を備える場合、制御ユニット５００の各機能は、ソフトウェア、ファームウェア、またはソフトウェアとファームウェアとの組み合わせにより実現される。
【００５３】
ソフトウェアおよびファームウェアはプログラムとして記述され、メモリ６０２に格納される。プロセッサ６０１は、メモリ６０２に記憶されたプログラムを読み出して実行することにより、各部の機能を実現する。プロセッサ６０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ６０２には、例えば、ＲＡＭ、ＲＯＭ、フラッシュメモリー、ＥＰＲＯＭおよびＥＥＰＲＯＭ等の不揮発性または揮発性の半導体メモリ、または磁気ディスク、フレキシブルディスク、光ディスク、コンパクトディスク、ミニディスクおよびＤＶＤ等が該当する。
【００５４】
このように、処理回路は、ハードウェア、ソフトウェア、ファームウェア、またはこれらの組み合わせによって、制御ユニット５００の各機能を実現することができる。
【００５５】
なお、図２は、あくまで、浴室システムの制御系統の一例を示しているものである。本開示に係る浴室システムの制御系統の構成は、図２に示すものに限定されるものではない。浴室システムの構成は、制御ユニット５００のような単一の装置により動作が制御される構成に限定されるものではない。浴室システムは、複数の装置が連携することにより動作が制御されるように構成されてもよい。
【００５６】
図２に示す実施例において、制御ユニット５００は、浴室乾燥装置１１０および給湯装置１３０の外部に設けられている。制御ユニット５００の機能は、浴室乾燥装置１１０および給湯装置１３０の少なくとも１つに備えられていてもよい。制御ユニット５００の機能は、例えば、浴室乾燥装置１１０に内蔵された制御装置および給湯装置１３０に内蔵された制御装置が連携することによって実現されてもよい。
【００５７】
次に、本実施の形態に係る浴室システムの制御例を、フローチャートを参照して説明する。図４は、実施の形態１の浴室システムの制御例を示すフローチャートである。なお、図４は、あくまで動作の一例を示すものであり、本開示に係る浴室システムの動作は、図４に示されるものに限定されない。
【００５８】
図４のフローチャートは、入浴者ののぼせを抑制する動作における制御例を示している。図４のフローチャートは、開始時点において使用者が浴室１００にいることを前提としたもの、すなわち入浴者がいることを前提としたものである。まず、生体センサ１１２によって、浴室１００内の入浴者の物理量の検出が実行される（ステップＳ１０１）。
【００５９】
ステップＳ１０１での生体センサ１１２の検出結果に基づいて、入浴者が浴槽１２０へ入浴しているか否かの判定が実行される（ステップＳ１０２）。ステップＳ１０２の判定は、上記したように、判定部５０３によって実行される。浴室１００内の入浴者が浴槽１２０へ入っていない場合には、図４に示されるように、ステップＳ１０１およびステップＳ１０２の処理が継続される。
【００６０】
入浴者が浴槽１２０に入ると、生体センサ１１２によって当該入浴者の物理量が検出される（ステップＳ１０３）。ステップＳ１０３において生体センサ１１２が検出する物理量は、浴槽１２０内の湯水から入浴者の身体に吸収される熱量に関係するパラメータである。
【００６１】
ステップＳ１０３において生体センサ１１２が検出したパラメータに基づいて、入浴者ののぼせの予兆の有無の判定が行われる（ステップＳ１０４）。のぼせの予兆の有無の判定は、上記したように、判定部５０３によって実行される。入浴者ののぼせの予兆が無いと判定された場合は、図４に示されるように、ステップＳ１０１からステップＳ１０４までの処理が再び実行される。
【００６２】
のぼせの予兆が有ると判定された場合には、温度センサ１４１によって浴室１００の室温が検出される（ステップＳ１０５）。ステップＳ１０５で温度センサ１４１が検出したパラメータに基づいて、浴室１００内の室温と浴槽１２０内の湯温との温度差が基準温度差を下回っているか否か判定される。この基準温度差を図４においては「閾値」と表記している（ステップＳ１０６）。基準温度差の情報は、例えば、記憶部５０２に予め記憶されている。
【００６３】
浴室１００内の室温と浴槽１２０内の湯温との温度差が基準温度未満である場合には、浴室乾燥装置１１０は、入浴者への送風を実行する（ステップＳ１０７）。浴室乾燥装置１１０は、制御部５０４によって制御される。入浴者への送風が実行されることで、当該入浴者の体温上昇が抑制され、のぼせが抑制される。
【００６４】
浴室１００内の室温と浴槽１２０内の湯温との温度差が基準温度差以上の場合には、浴室乾燥装置１１０による送風ではなく、給湯装置１３０による湯温の低下および排水の少なくとも一方が実行される（ステップＳ１０８）。給湯装置１３０は、制御部５０４によって制御される。給湯装置１３０による湯温の低下および排水の少なくとも一方が実行されることで、当該入浴者の体温上昇が抑制され、のぼせが抑制される。また、入浴者の頭部が急激に冷やされることなく、湯につかっている部位の体温上昇が抑制されるため、立ちくらみを起こすリスクを低減することができる。
【００６５】
なお、ステップＳ１０８の処理の後、例えば、生体センサ１０１の検知結果に基づいて、入浴者の体温が基準体温を下回ったと判定された場合には、ステップＳ１０７と同様に入浴者への送風が行われてもよい。これにより、立ちくらみを起こすリスクを低減しつつ、より効果的にのぼせを抑制することができる。
【００６６】
以上に示したように、本実施の形態の浴室システムは、浴槽１２０内の湯水から入浴者の身体に吸収される熱量に関係するパラメータを検出する生体センサ１１２と、生体センサ１１２により検出されたパラメータに応じて、入浴者の体温の上昇を抑制してのぼせを抑制するように浴室乾燥装置１１０および給湯装置１３０を制御する制御ユニット５００と、浴室１００内の室温と浴槽１２０内の湯温との温度差を検出するための温度センサ１４１と、を備える。制御ユニット５００は、上記の温度差が基準温度差を下回る場合には浴室乾燥装置１１０に送風を実行させ、当該温度差が基準温度差を上回る場合には給湯装置１３０に浴槽１２０内の湯温の低下および浴槽１２０内の湯水の排水の少なくとも一方を実行させる。上記のように構成された浴室システムによれば、入浴者が立ちくらみを起こすリスクを低減しつつ当該入浴者の入浴中におけるのぼせを抑制することができる。
【００６７】
実施の形態２．
次に、実施の形態２について説明する。実施の形態１と同一または相当する部分については、同じ符号を付し、説明を簡略化または省略する。図５は、実施の形態２の浴室システムを構成する各要素の配置の一例を示す模式図である。図６は、実施の形態２の浴室システムの制御系統の一例を示す機能ブロック図である。
【００６８】
本実施の形態の浴室システムは、実施の形態１の浴室システムの構成に加えて、脱衣室２００に設置された脱衣室空調機２１０を備える。脱衣室空調機２１０は、脱衣室２００の空気調和を行う空気調和装置である。脱衣室空調機２１０は、例えば、ヒートポンプユニットまたは電気式の加熱温水器等を用いて、空気の温度を調節する。脱衣室空調機２１０は、温風を吹き出す暖房運転、冷風を吹き出す冷房運転および常温の風を吹き出す送風運転等を実行可能である。
【００６９】
図５に示されるように、脱衣室空調機２１０には、生体センサ２１１が設けられている。生体センサ２１１は、生体センサ１１２と同様、人に関する物理量を非接触で検出することができるセンサである。生体センサ２１１は、脱衣室２００にいる使用者の状態を判定するためのパラメータを検出する。例えば、生体センサ２１１は、生体センサ１１２と同様、皮膚温度、心拍数、呼吸数および血圧の少なくとも１つを検出する。
【００７０】
生体センサ２１１は、例えば赤外線センサをアレイ状に配置させたサーモパイルを含む。サーモパイルは、マトリクス状に表面温度を検出することができる。サーモパイルを含む生体センサ２１１は、人の位置および人の動きを推定するためのパラメータを検出することができる。また、例えば、マイクロ波を利用した生体センサ２１１は、心拍数および呼吸数の推定値を検出することができる。
【００７１】
図５に示されるように、本実施の形態において、脱衣室２００は、浴室１００に隣接している。浴室１００での入浴を終えた使用者は、換言すると出浴後の入浴者は、当該浴室１００を出て脱衣室２００へ移動する。脱衣室２００にいる人に関する物理量を検出可能に構成された生体センサ２１１は、浴室１００を出て脱衣室２００へ移動した入浴者の状態に関係するパラメータを検出することができる。生体センサ２１１は、出浴後の入浴者ののぼせの予兆の有無を判定するためのパラメータを検出する。本実施の形態の生体センサ２１１は、出浴後の入浴者に関する物理量を検出する出浴状態検出手段の一例である。
【００７２】
また、本実施の形態における生体センサ２１１は、入浴者が浴室１００から脱衣室２００へ移動したこと、すなわち出浴したことを検出する出浴検出手段の一例を構成している。本実施の形態の浴室システムは、例えば、生体センサ２１１によって取得された熱画像データ等から入浴者が出浴したことを検出する機能を有する。また、本実施の形態の浴室システムは、生体センサ２１１によって取得された熱画像データ等から脱衣室２００内にいる出浴後の入浴者の位置を判定する機能を有する。
【００７３】
生体センサ２１１は、脱衣室空調機２１０と通信を行う。一例として、脱衣室空調機２１０に内蔵された制御装置は、生体センサ２１１の検出結果に基づいて、脱衣室空調機２１０の動作を制御する。脱衣室空調機２１０は、例えば、生体センサ２１１の検出結果に基づいて、出浴後の入浴者に向けて送風することができる。
【００７４】
図５に示されるように、脱衣室２００には、例えば、操作装置２２０が設けられている。操作装置２２０は、使用者が脱衣室空調機２１０を操作するためのものである。一例として、操作装置２２０は、脱衣室２００の壁に取り付けられている。なお、操作装置２２０は、浴室１００の壁から着脱自在な無線通信端末等であってもよい。
【００７５】
操作装置２２０は、無線または有線によって、脱衣室空調機２１０と接続されている。一例として、この操作装置２２０は、脱衣室空調機２１０と互いに通信を行う。操作装置２２０は、例えば、脱衣室空調機２１０の状態を表示する液晶画面等の表示部と、脱衣室空調機２１０を操作するためのボタン等の操作部と、を有している。
【００７６】
図５に示されるように、生体センサ２１１は、操作装置２２０に設けられていてもよい。図５に示される構成例においては、生体センサ２１１は、脱衣室空調機２１０と操作装置２２０との両方に設けられている。生体センサ２１１は、脱衣室空調機２１０と操作装置２２０との一方に設けられてもよい。また、生体センサ２１１は、脱衣室空調機２１０および操作装置２２０とは別の場所に設けられていてもよい。生体センサ２１１は、例えば、脱衣室２００の壁等に設置されていてもよい。生体センサ２１１は、脱衣室２００にいる人に関する物理量を検出可能に構成されていればよい。
【００７７】
図５に示されるように、操作装置２２０には、脱衣室センサ２２１が設けられている。脱衣室センサ２２１は脱衣室２００内の温度および湿度を検出するセンサである。脱衣室センサ２２１は、脱衣室２００内の温度および湿度の一方を検出するセンサであってもよい。本開示では、脱衣室センサ２２１によって検出された物理量の値を、「脱衣室センサ検出値」とも称することがある。
【００７８】
脱衣室センサ２２１は、操作装置２２０とは別の場所に設けられていてもよい。脱衣室センサ２２１は、例えば、脱衣室２００の壁または脱衣室空調機２１０等に設置されていてもよい。脱衣室センサ２２１は、浴室１００内の温度および湿度の少なくとも一方を検出可能に構成されていればよい。本実施の形態における脱衣室センサ２２１は、浴室１００内の温度および湿度の少なくとも一方を検出する脱衣室情報検出手段の一例を構成している。
【００７９】
なお、操作装置２２０の機能は、操作装置１４０に備えられていてもよい。操作装置１４０の機能は、操作装置２２０に備えられていてもよい。本実施の形態の浴室システムは、操作装置１４０および操作装置２２０の一方のみを備えていてもよい。
【００８０】
本実施の形態の浴室システムは、生体センサ２１１が検出したパラメータに基づいて、入浴者の状態を判定する機能を有するシステムである。具体的には、脱衣室２００内の入浴者ののぼせの予兆の有無が、生体センサ２１１が検出したパラメータに基づいて判定される。本実施の形態の浴室システムを構成する脱衣室空調機２１０は、入浴者ののぼせの予兆の有無の判定結果に応じて制御される。入浴者ののぼせの予兆が有ると判定された場合、脱衣室空調機２１０は、入浴者ののぼせを抑制するように動作する。脱衣室空調機２１０は、入浴者に対して送風することで当該入浴者の体温の上昇を抑制し、のぼせを抑制する。
【００８１】
本実施の形態の浴室システムにおいて、脱衣室空調機２１０は、脱衣室センサ２２１が検出した脱衣室センサ検出値が予め設定された基準値を下回る場合には、冷やし過ぎを防止するため、入浴者に対して送風運転を行うように制御される。一方、脱衣室センサ２２１が検出した脱衣室センサ検出値が予め設定された基準値を上回る場合には、脱衣室空調機２１０は、入浴者に対して冷風を当て、当該入浴者を効率よく冷却する。
【００８２】
実施の形態１と同様、浴室システムの動作は、制御ユニット５００によって制御される。制御ユニット５００は、脱衣室空調機２１０に出浴後の入浴者への送風を実行させる機能を有している。本実施の形態において、制御部５０４は、脱衣室空調機２１０の動作を制御する。
【００８３】
本実施の形態において、判定部５０３は、生体センサ２１１が検出したパラメータに基づいて、入浴者が浴室１００から脱衣室２００へ出浴したか否か判定する機能を有している。本実施の形態における判定部５０３は、入浴者が出浴したことを検出する出浴検出手段の一例を構成している。
【００８４】
なお、浴室システムは、入浴者が出浴したことを検出するためのセンサとして、生体センサ２１１とは別のセンサを備えていてもよい。例えば、脱衣室２００内には、当該脱衣室２００内への入室を検出する人感センサ等が設けられていてもよい。また、判定部５０３は、例えば、脱衣室センサ２２１の検出値の変化量に基づいて、入浴者が出浴したか否かを判定してもよい。
【００８５】
また、本実施の形態の判定部５０３は、脱衣室２００内にいる出浴後の入浴者ののぼせの予兆の有無を判定する機能を有する。判定部５０３は、例えば、生体センサ２１１の検出結果から、入浴者の心拍数が予め設定された判定値を上回っているか判定する。入浴者の心拍数が予め設定された判定値を上回っている場合とは、のぼせの予兆がある場合を意味する。また、判定部５０３は、生体センサ１１２の検出結果と生体センサ２１１の検出結果との双方に基づいて、出浴後の入浴者ののぼせの予兆の有無を判定してもよい。例えば、判定部５０３は、入浴者に関する物理量の変化量に基づいて、のぼせの予兆の有無を判定してもよい。また、実施の形態１と同様に、判定部５０３は、生体センサ１１２の検出結果からのぼせの予兆の有無を判定してもよい。
【００８６】
制御部５０４は、判定部５０３の判定結果に応じて脱衣室空調機２１０を制御する機能を有している。制御部５０４は、入浴者ののぼせの予兆が有ると判定された場合、入浴者ののぼせを抑制するよう脱衣室空調機２１０を動作させる。
【００８７】
本実施の形態の制御ユニット５００の各機能は、実施の形態１と同様、処理回路によって実現される。また、制御ユニット５００の機能の少なくとも一部は、脱衣室空調機２１０に内蔵された制御装置によって実現されてもよい。
【００８８】
次に、本実施の形態に係る浴室システムの制御例を、フローチャートを参照して説明する。図７は、実施の形態１の浴室システムの制御例を示すフローチャートである。なお、図７は、あくまで動作の一例を示すものであり、本開示に係る浴室システムの動作は、図７に示されるものに限定されない。
【００８９】
図７のフローチャートは、出浴後の入浴者ののぼせを抑制する動作における制御例を示している。まず、生体センサ２１１によって、脱衣室２００内の検出が行われる。（ステップＳ２０１）。
【００９０】
ステップＳ２０１での生体センサ２１１の検出結果に基づいて、入浴者が浴室１００から脱衣室２００へと出浴したか否かの判定が実行される（ステップＳ２０２）。ステップＳ２０２の判定は、上記したように、判定部５０３によって実行される。入浴者が出浴していない場合には、図７に示されるように、ステップＳ２０１およびステップＳ２０２の処理が継続される。
【００９１】
入浴者が出浴すると、生体センサ２１１によって当該入浴者の物理量が検出される（ステップＳ２０３）。ステップＳ２０３において生体センサ２１１が検出する物理量は、脱衣室２００におけるのぼせに関係するパラメータである。
【００９２】
ステップＳ２０３において生体センサ２１１が検出したパラメータに基づいて、入浴者ののぼせの予兆の有無の判定が行われる（ステップＳ２０４）。のぼせの予兆の有無の判定は、判定部５０３によって実行される。なお、のぼせの予兆の有無の判定は、上記したように、生体センサ１１２が検出した入浴中の入浴者のパラメータに基づいて行われてもよい。のぼせの予兆の有無の判定は、生体センサ１１２の検出結果と生体センサ２１１の検出結果との双方に基づいて行われてもよい。出浴後の入浴者ののぼせの予兆が無いと判定された場合は、図７に示されるように、ステップＳ２０１からステップＳ２０４までの処理が再び実行される。
【００９３】
一方、のぼせの予兆が有ると判定された場合には、脱衣室センサ２２１によって脱衣室２００の温湿度が検出される（ステップＳ２０５）。そして、ステップＳ２０５で脱衣室センサ２２１が検出した脱衣室センサ検出値が、基準値を下回っているか否か判定される。この基準値を図７においては「閾値」と表記している（ステップＳ２０６）。この基準値の情報は、例えば、記憶部５０２に予め記憶されている。
【００９４】
脱衣室センサ検出値が基準値未満である場合には、脱衣室空調機２１０は、出浴後の入浴者への送風を実行する（ステップＳ２０７）。入浴者への送風が実行されることで、当該入浴者の体温上昇が抑制され、のぼせが抑制される。また、入浴者が冷やされすぎることがない。
【００９５】
脱衣室センサ検出値が基準値以上の場合には、脱衣室空調機２１０は出浴後の入浴者へ冷風を吹き当てる（ステップＳ２０８）。これにより、のぼせる可能性がある出浴後の入浴者が効率よく冷却される。
【００９６】
以上のように構成された本実施の形態の浴室システムによれば、出浴後におけるのぼせを抑制するこができる。なお、実施の形態１において図４で示した動作と本実施において図７で示した動作とは、両方行われてもよいし、一方のみが行われてもよい。両動作、すなわち浴室１００でののぼせを抑制する動作と脱衣室２００でののぼせを抑制する動作との両方が行われた場合、使用者ののぼせをより効果的に抑制することができる。
【００９７】
実施の形態３．
次に、実施の形態３について説明する。上記の各実施の形態と同一または相当する部分については、同じ符号を付し、説明を簡略化または省略する。図８は、実施の形態３の浴室システムを構成する各要素の配置の一例を示す模式図である。
【００９８】
本実施の形態の浴室システムの構成は、基本的には、実施の形態１の浴室システムと同様である。本実施の形態の浴室システムにおいて、浴室乾燥装置１１０は、浴室１００の換気を行う機能を備えている。すなわち、浴室乾燥装置１１０は、外気を取り込んで浴室１００内へ供給することができるように構成されている。一例として、浴室乾燥装置１１０は、図８に示すように、外気を給気して浴室１００内へ吹き出す換気部１１３を有している。また、実施の形態の浴室システムは、外気温を検出する外気温センサ１１４を備えている。なお、外気を給気して浴室１００内へ吹き出す換気部１１３は、図８に示すように暖房等を行う機器と別体として形成されていてもよいし、一体であってもよい。
【００９９】
図９は、実施の形態３の浴室システムの制御例を示すフローチャートである。図９に示される各フローのうち、ステップＳ３０１からステップＳ３０６までの処理は、実施の形態１におけるステップＳ１０１からステップＳ１０６までの処理と同様である。また、ステップＳ３０７の処理は、実施の形態１におけるステップＳ１０８の処理と同様である。ステップＳ３０１からステップＳ３０７までの説明を省略する。
【０１００】
ステップＳ３０６において浴室１００内の室温と浴槽１２０内の湯温との温度差が基準温度未満であると判定された場合には、外気温が浴室１００内の室温よりも低いか否かの判定が実行される（ステップＳ３０８）。ステップＳ３０８の判定は、例えば、外気温センサ１１４の検出結果および温度センサ１４１の検出結果に基づいて行われる。
【０１０１】
外気温が浴室１００内の室温よりも低い場合には、浴室乾燥装置１１０は、入浴者への送風と同時に、換気部１１３によって外気を浴室内へ取りこませる（ステップＳ３０９）。すなわち、浴室乾燥装置１１０は、入浴者への送風と換気とを同時に行う。換気によって浴室１００内の室温が低下することで、入浴者の体温上昇がより効果的に抑制される。また、ステップＳ３０８において外気温が浴室１００内の室温よりも低くない場合には、実施の形態１におけるステップＳ１０７と同様、浴室乾燥装置１１０は、入浴者への送風を行う（ステップＳ３１０）。
【０１０２】
実施の形態４．
次に、実施の形態４について説明する。上記の各実施の形態と同一または相当する部分については、同じ符号を付し、説明を簡略化または省略する。図１０は、実施の形態４の浴室システムを構成する各要素の配置の一例を示す模式図である。
【０１０３】
本実施の形態の浴室システムの構成は、基本的には、実施の形態２の浴室システムと同様である。本実施の形態の浴室システムにおいて、脱衣室空調機２１０は、脱衣室２００の換気を行う機能を備えている。すなわり、脱衣室空調機２１０は、外気を取り込んで脱衣室２００内へ供給することができるように構成されている。一例として、脱衣室空調機２１０は、実施の形態３の浴室乾燥装置１１０と同様、外気を給気して浴室１００内へ吹き出す換気部１１３を有している。また、本実施の形態の浴室システムは、外気温を検出する外気温センサ１１４を備えている。
【０１０４】
図１１は、実施の形態４の浴室システムの制御例を示すフローチャートである。図１１に示される各フローのうち、ステップＳ４０１からステップＳ４０６までの処理は、実施の形態２におけるステップＳ２０１からステップＳ２０６までの処理と同様である。ステップＳ４０７の処理は、実施の形態２におけるステップＳ２０８の処理と同様である。ステップＳ４０１からステップＳ４０７までの説明を省略する。
【０１０５】
ステップＳ４０６において脱衣室センサ検出値が基準値未満である判定された場合には、外気温が浴室１００内の室温よりも低いか否かの判定が実行される（ステップＳ４０８）。ステップＳ４０８の判定は、例えば、外気温センサ１１４の検出結果および脱衣室センサ２２１の検出結果に基づいて行われる。
【０１０６】
外気温が脱衣室２００内の室温よりも低い場合には、脱衣室空調機２１０は、出浴者への送風と同時に、換気部１１３によって外気を浴室内へ取りこませる（ステップＳ４０９）。脱衣室空調機２１０は、出浴者への送風と換気とを同時に行う。換気によって脱衣室２００内の室温が低下することで、出浴者の体温上昇がより効果的に抑制される。また、ステップＳ４０８において外気温が脱衣室２００内の室温よりも低くない場合には、実施の形態２におけるステップＳ２０７と同様、脱衣室空調機２１０は、出浴者への送風を行う（ステップＳ４１０）。
【０１０７】
実施の形態５．
次に、実施の形態５について説明する。上記の各実施の形態と同一または相当する部分については、同じ符号を付し、説明を簡略化または省略する。図１２は、実施の形態５の浴室システムを構成する各要素の配置の一例を示す模式図である。
【０１０８】
本実施の形態の浴室システムの構成は、基本的には、実施の形態１の浴室システムと同様である。本実施の形態の浴室システムにおいて、給湯装置１３０は、浴室１００内に水を放水可能なシャワー端末１３３を備えている。シャワー端末１３３は、浴室１００内への放水を行う放水手段の一例である。
【０１０９】
図１３は、実施の形態５の浴室システムの制御例を示すフローチャートである。図１３に示される各フローのうち、ステップＳ５０１からステップＳ５０６までの処理は、実施の形態１におけるステップＳ１０１からステップＳ１０６までの処理と同様である。また、ステップＳ５０７の処理は、実施の形態１におけるステップＳ１０８の処理と同様である。ステップＳ５０１からステップＳ５０７までの説明を省略する。
【０１１０】
ステップＳ５０６において浴室１００内の室温と浴槽１２０内の湯温との温度差が基準温度未満であると判定された場合には、浴室乾燥装置１１０による入浴者への送風と併せて、シャワー端末１３３による放水が実行される（ステップＳ５０８）。シャワー端末１３３は，低温の水を放出する。これにより、浴室１００内の室温が低下し、入浴者の体温上昇がより効果的に抑制される。
【０１１１】
実施の形態６．
次に、実施の形態６について説明する。上記の各実施の形態と同一または相当する部分については、同じ符号を付し、説明を簡略化または省略する。図１４は、実施の形態６の浴室システムを構成する各要素の配置の一例を示す模式図である。
【０１１２】
本実施の形態の浴室システムの構成は、基本的には、実施の形態１の浴室システムと同様である。本実施の形態の浴室システムは、浴室１００とは別の部屋３００に設けられた操作装置３０１を備えている、部屋３００には、例えば、リビングおよびキッチン等が該当する。また、部屋３００は、実施の形態２における脱衣室２００であってもよい。本実施の形態における操作装置３０１は、実施の形態２における操作装置２２０であってもよい。
【０１１３】
上記した操作装置３０１は、実施の形態１における操作装置１４０および実施の形態２における操作装置２２０等と同様の装置である。そして、操作装置３０１は、使用者に対する各種の報知を行う機能を有する。本実施の形態の操作装置３０１は、報知手段の一例である。
【０１１４】
操作装置３０１は、判定部５０３によってのぼせの予兆が有ると判定された場合に報知を行う。操作装置３０１は、例えば、入浴者がのぼせてしまう可能性がある旨を当該入浴者の同居人に対して報知する。なお操作装置３０１は、スマートフォン等の携帯端末であってもよい。
【０１１５】
また、報知手段は、例えば、浴室１００内の操作装置１４０であってもよい。操作装置１４０は、入浴者に対してのぼせてしまう可能性がある旨および対処法等を報知してもよい。操作装置１４０は、例えば、「あと５分でのぼせます。注意してください。」、「のぼせています。お風呂から上がってください。」、「かなりのぼせています。ゆっくり立ち上がり、出浴後、水分補給を行い、横になって安静にしてください。」等のメッセージを画面表示または音声表示してもよい。本実施の形態によれば、のぼせる可能性を低減し、また、のぼせてしまった場合にもすみやかに対処することが可能となる。
【符号の説明】
【０１１６】
１００  浴室、  １１０  浴室乾燥装置、  １１１  ルーバー、  １１２  生体センサ、  １１３  換気部、  １１４  外気温センサ、  １２０  浴槽、  １３０  給湯装置、  １３１  追い焚き配管、  １３２  自動排水栓、  １３３  シャワー端末、  １４０  操作装置、  １４１  温度センサ、  ２００  脱衣室、  ２１０  脱衣室空調機、  ２１１  生体センサ、  ２２０  操作装置、  ２２１  脱衣室センサ、  ３００  部屋、  ３０１  操作装置、  ５００  制御ユニット、  ５０１  演算部、  ５０２  記憶部、  ５０３  判定部、  ５０４  制御部、  ６００  専用ハードウェア、  ６０１  プロセッサ、  ６０２  メモリ
【図１】
2020190393.tif 000003
【図２】
2020190393.tif 000004
【図３】
2020190393.tif 000005
【図４】
2020190393.tif 000006
【図５】
2020190393.tif 000007
【図６】
2020190393.tif 000008
【図７】
2020190393.tif 000009
【図８】
2020190393.tif 000010
【図９】
2020190393.tif 000011
【図１０】
2020190393.tif 000012
【図１１】
2020190393.tif 000013
【図１２】
2020190393.tif 000014
【図１３】
2020190393.tif 000015
【図１４】
2020190393.tif 000016